(57)【要約】【課題】通常の分析処理のプログラムを変更することなく、管理者に手動でインデックスの構築の管理及び更新を行わせることを可能にする分析処理調整装置及び方法を提供する。【解決手段】分析処理調整装置１は、クローラ等から得られたアーカイブデータを受信するアーカイブデータ受信部１１と、アーカイブデータに基づいてＷｅｂページのＵＲＬを抽出してＵＲＬリストを記憶するＵＲＬリスト記憶部２１と、アーカイブデータに対して分析処理を実行した結果として得られた、インデックスＤＢに反映するための分析データをＵＲＬリストに付加するアーカイブデータ分析部１４と、アーカイブデータ受信部１１が受信しアーカイブデータ記憶部２２に記憶されたＷｅｂページの所定のＵＲＬに係るアーカイブデータを修正するアーカイブデータ修正部１５と、修正されたアーカイブデータをアーカイブデータ受信部１１に受け渡すアーカイブデータ受渡部１６とを備える。【選択図】図１
2011192096.tif 000002
【特許請求の範囲】
【請求項１】
クローラ又はフィーダによって得られたＷｅｂページのコンテンツであるアーカイブデータを受信するアーカイブデータ受信手段と、
前記アーカイブデータに基づいて前記ＷｅｂページのＵＲＬを抽出して入力対象リストを記憶する入力対象リスト記憶手段と、
前記アーカイブデータに対して分析処理を実行した結果として得られた、Ｗｅｂページの検索で用いるインデックスＤＢに反映するための分析データを、前記入力対象リスト記憶手段が記憶した前記入力対象リストに対して付加する分析手段と、
前記アーカイブデータ受信手段により受信した前記アーカイブデータを記憶するアーカイブデータ記憶手段と、
前記アーカイブデータ記憶手段に記憶され、前記Ｗｅｂページの所定のＵＲＬに係るアーカイブデータを修正するアーカイブデータ修正手段と、
前記アーカイブデータ修正手段により修正されたアーカイブデータを前記アーカイブデータ受信手段に受け渡すアーカイブデータ受渡手段と、
を備える分析処理調整装置。
【請求項２】
前記アーカイブデータ記憶手段に記憶された前記アーカイブデータに基づいて、前記分析手段が付加した前記入力対象リストに係る前記分析データを修正する分析データ修正手段を備える、
請求項１に記載の分析処理調整装置。
【請求項３】
前記分析データ修正手段は、前記分析処理調整装置に対して通信ネットワークを介して接続された管理端末からの入力によって、前記分析手段が付加した前記入力対象リストに係る前記分析データを修正する、
請求項２に記載の分析処理調整装置。
【請求項４】
前記アーカイブデータ修正手段は、前記分析処理調整装置に対して通信ネットワークを介して接続された管理端末からの入力によって、前記アーカイブデータ記憶手段に記憶された前記アーカイブデータに対して修正する、
請求項１から請求項３までのいずれかに記載の分析処理調整装置。
【請求項５】
前記分析手段は、前記アーカイブデータを複数の異なる工程を経由して順番に前記分析処理を実行し、得られた複数の前記分析データを前記入力対象リストに対して付加する、
請求項１から請求項４までのいずれかに記載の分析処理調整装置。
【請求項６】
クローラ又はフィーダによって得られたＷｅｂページのコンテンツであるアーカイブデータを受信する受信ステップと、
前記アーカイブデータに基づいて前記ＷｅｂページのＵＲＬを抽出して入力対象リストを記憶させる入力対象リスト記憶ステップと、
前記アーカイブデータに対して分析処理を実行した結果として得られた、Ｗｅｂページの検索で用いるインデックスＤＢに反映するための分析データを、記憶された前記入力対象リストに対して付加する付加ステップと、
前記アーカイブデータを記憶させるアーカイブデータ記憶ステップと、
通信ネットワークを介して接続された管理端末からの入力によって、前記アーカイブデータ記憶ステップにより記憶され、前記Ｗｅｂページの所定のＵＲＬに係るアーカイブデータを修正する修正ステップと、
前記管理端末からの入力がなくなるまで、前記修正ステップにより修正された修正後の前記アーカイブデータを前記アーカイブデータとして、前記入力対象リスト記憶ステップ、前記付加ステップ、前記アーカイブデータ記憶ステップ、及び前記修正ステップを繰返す繰返しステップと、
を含む分析処理調整方法。
【発明の詳細な説明】
【技術分野】
【０００１】
本発明は、分析処理調整装置及び方法に関する。
【背景技術】
【０００２】
従来、検索用のキーワード等を入力可能な検索用のＷｅｂページから欲しい情報がヒットするようなキーワードを入力することで、ユーザは、自身が欲しい情報が掲載されたＷｅｂページを得ている。検索用のＷｅｂページにキーワードを入れて処理の開始を起動すると、キーワードがユーザ端末からインデックスサーバに送信される。そして、インデックスサーバは、そのサーバに記憶されたインデックスＤＢ（ＤＢ：データベース）を検索して、そのキーワードに対するスコアが高いＷｅｂページから順番に、Ｗｅｂページの見出し及びそのキーワードを含むテキストであるスニペットを出力する。
【０００３】
このようなインデックスサーバは、例えば、特許文献１に記載されているように、クローラと呼ばれる巡回ロボットによりＷｅｂページを取得し、そのＷｅｂページのＵＲＬやキーワードを抽出することで、インデックスＤＢを構築する。
【０００４】
また、スコアは、所定のプログラムロジックに基づいて機械的に決定される。一般に、インデックスサーバは、スコアが高いものほど上位に出力する仕組みであり、スコアの高低は、例えば、企業戦略の中では重要な要素である。よって、ＳＥＯ（Ｓｅａｒｃｈ  Ｅｎｇｉｎｅ  Ｏｐｔｉｍｉｚａｔｉｏｎサーチエンジン最適化）対策等により、スコアを高くする手法等が用いられている。
【先行技術文献】
【特許文献】
【０００５】
【特許文献１】国際公開第２００２／０４４９４６号
【発明の概要】
【発明が解決しようとする課題】
【０００６】
インデックスＤＢの構築は、通常、所定のプログラムによって一律に行われており、例外処理を許容していない。しかし、不自然なスコアが付けられているものについては、例えば、手動での管理及び更新を行いたいというニーズがある。
【０００７】
本発明は、通常の分析処理のプログラムを変更することなく、管理者に手動でインデックスの構築の管理及び更新を行わせることを可能にする分析処理調整装置及び方法を提供することを目的とする。
【課題を解決するための手段】
【０００８】
本発明者は、一部のデータを改変する仕組みを設けることで、管理者のニーズを満たすことを見出し、本発明を完成するに至った。本発明は、具体的には次のようなものを提供する。
【０００９】
（１）  クローラ又はフィーダによって得られたＷｅｂページのコンテンツであるアーカイブデータを受信するアーカイブデータ受信手段と、前記アーカイブデータに基づいて前記ＷｅｂページのＵＲＬを抽出して入力対象リストを記憶する入力対象リスト記憶手段と、前記アーカイブデータに対して分析処理を実行した結果として得られた、Ｗｅｂページの検索で用いるインデックスＤＢに反映するための分析データを、前記入力対象リスト記憶手段が記憶した前記入力対象リストに対して付加する分析手段と、前記アーカイブデータ受信手段により受信した前記アーカイブデータを記憶するアーカイブデータ記憶手段と、前記アーカイブデータ記憶手段に記憶され、前記Ｗｅｂページの所定のＵＲＬに係るアーカイブデータを修正するアーカイブデータ修正手段と、前記アーカイブデータ修正手段により修正されたアーカイブデータを前記アーカイブデータ受信手段に受け渡すアーカイブデータ受渡手段と、を備える分析処理調整装置。
【００１０】
本発明のこのような構成によれば、分析処理調整装置は、アーカイブデータに対して分析処理を実行して得られた分析データを、アーカイブデータに基づいて抽出したＷｅｂページのＵＲＬに対応付けて、インデックスＤＢに反映させるために用いる入力対象リストを作成する。そして、分析処理調整装置は、アーカイブデータを修正した修正後のアーカイブデータをアーカイブデータ受信手段に受け渡す。よって、分析処理調整装置は、アーカイブデータを修正してアーカイブデータ受信手段に受け渡すので、アーカイブデータの修正によって、入力対象リストを半ば強制的に変更できる。その結果として、入力対象リストを用いて作成する検索時に用いるインデックスが、ユーザの意図を反映したものになる。しかも、分析処理のプログラムロジックを変更しないので、当該修正したアーカイブデータに対応するＷｅｂページ以外の入力対象リストが変更になる等の混乱を避けることができる。
【００１１】
（２）  前記アーカイブデータ記憶手段に記憶された前記アーカイブデータに基づいて、前記分析手段が付加した前記入力対象リストに係る前記分析データを修正する分析データ修正手段を備える、（１）に記載の分析処理調整装置。
【００１２】
本発明のこのような構成によれば、分析処理調整装置は、アーカイブデータに基づいて入力対象リストに係る分析データを修正するので、分析データの修正によって入力対象リストをより直接的に変更できる。その結果として、分析処理調整装置は、入力対象リストをよりダイレクトに調整できる。
【００１３】
（３）  前記分析データ修正手段は、前記分析処理調整装置に対して通信ネットワークを介して接続された管理端末からの入力によって、前記分析手段が付加した前記入力対象リストに係る前記分析データを修正する、（２）に記載の分析処理調整装置。
【００１４】
本発明のこのような構成によれば、ユーザは、通信ネットワークを介して接続された管理端末から、分析処理調整装置の入力対象リストに係る分析データを修正できるので、ユーザによる分析データの修正を受け付けて、ユーザがより直接的に入力対象リストを変更できる。
【００１５】
（４）  前記アーカイブデータ修正手段は、前記分析処理調整装置に対して通信ネットワークを介して接続された管理端末からの入力によって、前記アーカイブデータ記憶手段に記憶された前記アーカイブデータに対して修正する、（１）から（３）までのいずれかに記載の分析処理調整装置。
【００１６】
本発明のこのような構成によれば、ユーザは、通信ネットワークを介して接続された管理端末から、分析処理調整装置の入力対象リストを参照してアーカイブデータを修正できるので、分析処理調整装置は、ユーザによる入力対象リストに反映されるアーカイブデータの修正を受け付けて、ユーザが半ば強制的に入力対象リストを変更できる。
【００１７】
（５）  前記分析手段は、前記アーカイブデータを複数の異なる工程を経由して順番に前記分析処理を実行し、得られた複数の前記分析データを前記入力対象リストに対して付加する、（１）から（４）までのいずれかに記載の分析処理調整装置。
【００１８】
本発明のこのような構成によれば、分析処理調整装置は、分析手段がアーカイブデータを複数の異なる工程を経由して順番に分析処理を実行し、得られた複数の分析データを入力対象リストに対して付加するので、複数の観点からの分析処理を実行することで、複数の分析結果を用いることができる。
【００１９】
（６）  クローラ又はフィーダによって得られたＷｅｂページのコンテンツであるアーカイブデータを受信する受信ステップと、前記アーカイブデータに基づいて前記ＷｅｂページのＵＲＬを抽出して入力対象リストを記憶させる入力対象リスト記憶ステップと、前記アーカイブデータに対して分析処理を実行した結果として得られた、Ｗｅｂページの検索で用いるインデックスＤＢに反映するための分析データを、記憶された前記入力対象リストに対して付加する付加ステップと、前記アーカイブデータを記憶させるアーカイブデータ記憶ステップと、通信ネットワークを介して接続された管理端末からの入力によって、前記アーカイブデータ記憶ステップにより記憶され、前記Ｗｅｂページの所定のＵＲＬに係るアーカイブデータを修正する修正ステップと、前記管理端末からの入力がなくなるまで、前記修正ステップにより修正された修正後の前記アーカイブデータを前記アーカイブデータとして、前記入力対象リスト記憶ステップ、前記付加ステップ、前記アーカイブデータ記憶ステップ、及び前記修正ステップを繰返す繰返しステップと、を含む分析処理調整方法。
【発明の効果】
【００２０】
本発明によれば、通常の分析処理のプログラムを変更することなく、管理者に手動でインデックスの構築の管理及び更新を行わせることを可能にする分析処理調整装置及び方法を提供することができる。
【図面の簡単な説明】
【００２１】
【図１】本実施形態に係る検索システムの全体構成及び分析処理調整装置の機能構成を示す図である。
【図２】本実施形態に係る分析処理調整装置のフローチャートである。
【図３】本実施形態に係るデータの概要を説明する図である。
【発明を実施するための形態】
【００２２】
以下、本発明を実施するための形態について、図を参照しながら説明する。なお、これは、あくまでも一例であって、本発明の技術的範囲はこれに限られるものではない。
【００２３】
（実施形態）
［検索システム１００の全体構成及び分析処理調整装置１の機能構成］
図１は、本実施形態に係る検索システム１００の全体構成及び分析処理調整装置１の機能構成を示す図である。
【００２４】
検索システム１００は、分析処理調整装置１と、複数のＷｅｂサーバ３と、インデックスサーバ４と、管理端末５と、通信ネットワーク９とにより構成される。
【００２５】
分析処理調整装置１は、インデックスサーバ４に対して反映させて、インデックスＤＢ（ＤＢ：データベース）のインデックスを構築するデータ（分析データ）を作成するサーバである。分析処理調整装置１は、制御部１０と、記憶部２０とを備える。
【００２６】
制御部１０は、アーカイブデータ受信部１１と、メタデータ作成部１２と、ＵＲＬリスト記憶制御部１３と、アーカイブデータ分析部１４と、アーカイブデータ修正部１５と、アーカイブデータ受渡部１６と、分析データ修正部１７とを備える。
【００２７】
アーカイブデータ受信部１１は、アーカイブデータ受信手段としての機能を有し、クローラやフィーダと呼ばれるプログラムが実行されることで送信される、Ｗｅｂページのコンテンツであるアーカイブデータを受信する制御部である。クローラとは、インデックスＤＢを作成するために世界中のあらゆるＷｅｂサーバ３に記憶されたＷｅｂページを回収するプログラムをいう。また、フィーダとは、自ら運営するＷｅｂサーバ３や提携先の運営するＷｅｂサーバ３等クローラによる回収の必要がないＷｅｂページを入力するプログラムをいう。クローラ、フィーダ及びフィーダが入力するＷｅｂページは、分析処理調整装置１の記憶部２０に有してもよいが、分析処理調整装置１に対して通信ネットワーク９を介して接続された図示しない、例えば、回収サーバ等の他のサーバが有しているのが望ましい。
【００２８】
メタデータ作成部１２は、アーカイブデータを、例えば、形態素解析により複数の形態素に分割して、さらに各形態素に対して語句の出現頻度に基づく指標である、例えば、ＴＦ（Ｔｅｒｍ  Ｆｒｅｑｕｅｎｃｙ）・ＩＤＦ（Ｉｎｖｅｒｓｅ  Ｄｏｃｕｍｅｎｔ  Ｆｒｅｑｕｅｎｃｙ）を用いて単語の重み付けを行う。そのようにすることで、メタデータ作成部１２は、アーカイブデータから、アーカイブデータの特徴を示すメタデータ（属性データ）を作成する制御部である。なお、メタデータ作成部１２は、アーカイブデータから、メタタグの内容を抽出してメタデータを作成してもよい。
【００２９】
ＵＲＬリスト記憶制御部１３は、アーカイブデータの元になるＷｅｂページを示すＵＲＬ（Ｕｎｉｆｏｒｍ  Ｒｅｓｏｕｒｃｅ  Ｌｏｃａｔｏｒ）と、メタデータ作成部１２によって作成されたメタデータとを対応付けたＵＲＬリスト（入力対象リスト）を作成して、ＵＲＬリスト記憶部２１に記憶する制御部である。Ｗｅｂページを示すＵＲＬは、アーカイブデータに基づいて抽出することができる。
【００３０】
アーカイブデータ分析部１４は、アーカイブデータ分析手段としての機能を有し、アーカイブデータに対して分析処理を実行し、その結果として得られた分析データをＵＲＬリストに付加する制御部である。分析処理とは、具体的には、所定の検索キーワードに対して検索ランクを上昇させるためのタグ付けをしたり、スパム判定によりインデックスＤＢに登録を行わないようにするためのフラグを設定したりする処理をいい、その処理の内容（工程）により複数の分析処理を有していてもよい。
【００３１】
アーカイブデータ修正部１５は、アーカイブデータ修正手段としての機能を有し、管理端末５からの操作によって、アーカイブデータ記憶部２２に記憶されたアーカイブデータを修正して、修正後のアーカイブデータに更新する制御部である。
【００３２】
アーカイブデータ受渡部１６は、アーカイブデータ受渡手段としての機能を有し、アーカイブデータ修正部１５によって修正された修正後のアーカイブデータを、アーカイブデータ受信部１１に受け渡す制御部である。
【００３３】
分析データ修正部１７は、管理端末５からの操作によって、アーカイブデータ分析部１４により分析され、ＵＲＬリストに付加された分析データを修正して、修正後の分析データに更新する制御部である。
【００３４】
記憶部２０は、ＵＲＬリスト記憶部２１と、アーカイブデータ記憶部２２とを備える。
【００３５】
ＵＲＬリスト記憶部２１は、入力対象リスト記憶手段としての機能を有し、ＵＲＬと、メタデータとを対応付けたＵＲＬリストを記憶する記憶領域である。ＵＲＬリストは、ＵＲＬと、メタデータとの他に、さらに分析データが関連付けられる。ＵＲＬリストは、インデックスサーバ４に送信され、インデックスＤＢを構築するためのデータとして使用される。
【００３６】
アーカイブデータ記憶部２２は、アーカイブデータ記憶手段としての機能を有し、アーカイブデータそのものを記憶する記憶領域である。アーカイブデータ記憶部２２に記憶されたアーカイブデータは、アーカイブデータ修正部１５の処理によって修正された場合には、その内容は、元のＷｅｂページのコンテンツとは異なるものになる。
【００３７】
本実施形態の分析処理調整装置１のハードウェアは、一般的なコンピュータによって構成してもよい。一般的なコンピュータは、例えば、制御部１０として、中央処理装置（ＣＰＵ）を備える他、記憶部２０として、メモリ（ＲＡＭ、ＲＯＭ）、ハードディスク（ＨＤＤ）及び光ディスク（ＣＤ、ＤＶＤ等）を、ネットワーク通信装置として、各種有線及び無線ＬＡＮ装置を、表示装置として、例えば、液晶ディスプレイ、プラズマディスプレイ等の各種ディスプレイを、入力装置として、例えば、キーボード及びポインティング・デバイス（マウス、トラッキングボール等）を適宜備え、これらはバスラインにより接続されている。このような一般的なコンピュータにおいて、ＣＰＵは、分析処理調整装置１を統括的に制御し、各種プログラムを適宜読み出して実行することにより、上述したハードウェアと協働し、本発明に係る各種機能を実現している。
【００３８】
Ｗｅｂサーバ３は、複数のＷｅｂページを記憶する記憶部と、Ｗｅｂサーバ３の全体を制御する制御部とを備えたサーバである。Ｗｅｂサーバ３のハードウェアは、一般的なコンピュータによって構成してよい。Ｗｅｂサーバ３が記憶する複数のＷｅｂページであるページ群であって特定のドメインやホストの配下にあるページ群を総称して、Ｗｅｂサイトという。Ｗｅｂサーバ３に記憶されたＷｅｂサイトのＷｅｂページは、アーカイブデータの元になるデータである。
【００３９】
インデックスサーバ４は、インデックスＤＢを記憶する記憶部と、インデックスサーバ４の全体を制御する制御部とを備えたサーバである。分析処理調整装置１がＵＲＬリストをインデックスサーバ４に送信する条件は、例えば、分析処理調整装置１がアーカイブデータを受信して、一連の処理を実行した後であってもよいし、週次等の定期的なタイミングが分析処理調整装置１に設定されていてもよい。また、分析処理調整装置１がＵＲＬリストをインデックスサーバ４に送信する条件は、インデックスサーバ４から送信要求を受信した場合であってもよい。インデックスサーバ４のハードウェアは、一般的なコンピュータによって構成してよい。
【００４０】
管理端末５は、管理者が使用する、例えば、パーソナルコンピュータ（ＰＣ）である。管理端末５は、通信ネットワーク９を介して分析処理調整装置１に接続可能な通信機能を有し、分析処理調整装置１の記憶部２０に記憶されたデータの修正にユーザが用いる操作部及び表示部を有する端末であれば、どのような装置でもよい。
【００４１】
通信ネットワーク９は、分析処理調整装置１と、Ｗｅｂサーバ３と、インデックスサーバ４と、管理端末５との間で通信を行うための、例えば、インターネット等の通信回線である。通信ネットワーク９は、有線であってもよいし、その一部又は全部が無線であってもよい。
【００４２】
［分析処理調整装置１の処理］
次に、分析処理調整装置１での処理について説明する。図２は、本実施形態に係る分析処理調整装置１のフローチャートである。図３は、本実施形態に係るデータの概要を説明する図である。
【００４３】
図２のＳ１：制御部１０（アーカイブデータ受信部１１）は、クローラ及びフィーダによって得られたアーカイブデータを受信する。クローラ及びフィーダのプログラムを記憶したサーバであって、通信ネットワーク９を介して接続されたサーバは、例えば、日次や、Ｗｅｂページの更新の都度等、所定のタイミングでアーカイブデータを取得し、取得したアーカイブデータを分析処理調整装置１に対して送信する。
【００４４】
Ｓ２：制御部１０（メタデータ作成部１２）は、アーカイブデータ解析処理を行う。アーカイブデータ解析処理は、例えば、形態素解析によって、アーカイブデータからメタデータを作成する。
【００４５】
Ｓ３：制御部１０（ＵＲＬリスト記憶制御部１３）は、アーカイブデータの作成元のＷｅｂページのＵＲＬと、そのＷｅｂページのコンテンツであるアーカイブデータから作成されたメタデータとを対応付けたＵＲＬリストを、ＵＲＬリスト記憶部２１に記憶させる。
【００４６】
図３に示すように、アーカイブデータ３０と、アーカイブデータ３０の元データであるＷｅｂページを示すＵＲＬ３１とが対応付けられる。そして、メタデータ作成部１２による解析によって、アーカイブデータ３０からメタデータ３３が作成される（図３（１））。作成されたメタデータ３３と、ＵＲＬ３１とは、制御部１０により対応付けられて、ＵＲＬリスト３４が作成される。
【００４７】
図２に戻り、Ｓ４：制御部１０（アーカイブデータ分析部１４）は、アーカイブデータ分析処理を行う。アーカイブデータ分析処理は、アーカイブデータに対して各種の分析処理を順番に実行し、その結果として複数の分析データを得る。
【００４８】
Ｓ５：制御部１０（アーカイブデータ分析部１４）は、ＵＲＬリストに対してＳ４で得た分析データを付加する。
【００４９】
図３に示すように、アーカイブデータ３０を分析することで、アーカイブデータ３０から複数の分析データ３５が作成される（図３（２））。作成された複数の分析データ３５は、メタデータ３３と、ＵＲＬ３１とが対応付けられたＵＲＬリスト３４に付加される。
【００５０】
このように、分析処理調整装置１は、アーカイブデータ分析部１４がアーカイブデータを複数の異なる工程を経由して順番に分析処理を実行し、得られた複数の分析データをＵＲＬリストに対して付加するので、複数の観点からの分析処理を実行することで、複数の分析結果を用いることができる。
【００５１】
図２に戻り、Ｓ６：制御部１０は、Ｓ１で受信したアーカイブデータをアーカイブデータ記憶部２２に記憶させる。
【００５２】
Ｓ７：制御部１０は、管理端末５からアーカイブデータの修正要求を受け付けたか否かを判断する。アーカイブデータの修正要求を受け付けた場合（Ｓ７：ＹＥＳ）には、制御部１０は、処理をＳ８に移す。他方、アーカイブデータの修正要求を受け付けていない場合（Ｓ７：ＮＯ）には、制御部１０は、処理をＳ１０に移す。
【００５３】
Ｓ８：制御部１０（アーカイブデータ修正部１５）は、アーカイブデータ修正処理を行う。具体的には、制御部１０は、管理端末５から受け付けたアーカイブデータの修正要求に基づき、アーカイブデータ記憶部２２を参照して、アーカイブデータを修正する。管理端末５からのアーカイブデータの修正は、分析処理調整装置１が有する図示しないアーカイブデータ修正画面から、アーカイブデータを直接に修正してもよいし、管理端末５からの要求によって、制御部１０が指定したアーカイブデータを管理端末５に送信し、管理端末５から受信した修正後のアーカイブデータを制御部１０が受信することで、アーカイブデータ記憶部２２に記憶されたアーカイブデータを、修正後のアーカイブデータに更新してもよい。
【００５４】
Ｓ９：制御部１０（アーカイブデータ受渡部１６）は、修正後のアーカイブデータをアーカイブデータ受信部１１に受け渡す。その後、制御部１０は、処理をＳ１に移す。
【００５５】
図３に示すように、アーカイブデータ３０を修正することで、制御部１０は、アーカイブデータ３０から修正後アーカイブデータ３８を作成する（図３（３））。作成された修正後アーカイブデータ３８は、アーカイブデータ３０に対して上書きされる（図３（４））。
【００５６】
図２に戻り、Ｓ１０：制御部１０は、管理端末５から分析データの修正要求を受け付けたか否かを判断する。分析データの修正要求を受け付けた場合（Ｓ１０：ＹＥＳ）には、制御部１０は、処理をＳ１１に移す。他方、分析データの修正要求を受け付けていない場合（Ｓ１０：ＮＯ）には、制御部１０は、本処理を終了する。
【００５７】
Ｓ１１：制御部１０（分析データ修正部１７）は、分析データ修正処理を行う。具体的には、制御部１０は、管理端末５からＵＲＬリスト記憶部２１を参照して、ＵＲＬリストの分析データを修正する。管理端末５からの分析データの修正は、分析処理調整装置１が有する図示しない分析データ修正画面から、分析データを直接に修正してもよいし、管理端末５からの要求によって、制御部１０が指定したＵＲＬリストのレコードを管理端末５に送信し、管理端末５から受信した修正後の分析データを含むＵＲＬリストのデータを受信して、修正前のＵＲＬリストに対して該当のレコードを更新してもよい。その後、制御部１０は、本処理を終了する。
【００５８】
図３に示すように、分析データ３５を修正することで、制御部１０は、分析データ３５から修正後分析データ３６を作成する（図３（５））。作成された修正後分析データ３６は、分析データ３５に対して上書きされる。
【００５９】
このように、分析処理調整装置１は、通常のアーカイブデータの分析処理だけではうまく情報が付加されないものに対して、分析結果を参照しながらアーカイブデータを直接修正して、アーカイブデータ受信部１１に修正後のアーカイブデータを受け渡すことで、分析処理のプログラム自体を変更することなく、適切な情報を分析データとして付加することができる。よって、検索システム１００は、その分析データを用いてインデックスを生成して、インデックスを検索に用いることができる。
【００６０】
また、分析処理調整装置１は、分析データを直接修正することで、再度ロジックを実行する等の処理を行わずにデータを反映できるので、システムに対する負荷を軽減できる。また、分析処理調整装置１は、インデックスを生成する分析データとして適切な情報を、直接的に付加させることができる。
【００６１】
（変形形態）
本実施形態は、ＵＲＬリスト記憶部にＵＲＬリストを記憶するものであったが、これに限定されるものではない。例えば、分析処理調整装置に対して通信ネットワークを介して接続された別の記憶領域にＵＲＬリストを記憶してもよいし、分析処理調整装置として実行するプログラム上でデータを保有しつづけていてもよい。
【００６２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６３】
１      分析処理調整装置
３      Ｗｅｂサーバ
４      インデックスサーバ
５      管理端末
１０    制御部
１１    アーカイブデータ受信部
１２    メタデータ作成部
１３    ＵＲＬリスト記憶制御部
１４    アーカイブデータ分析部
１５    アーカイブデータ修正部
１６    アーカイブデータ受渡部
１７    分析データ修正部
２０    記憶部
２１    ＵＲＬリスト記憶部
２２    アーカイブデータ記憶部
３０    アーカイブデータ
３４    ＵＲＬリスト
３５    分析データ
３６    修正後分析データ
３８    修正後アーカイブデータ
１００  検索システム
【図１】
2011192096.tif 000003
【図２】
2011192096.tif 000004
【図３】
2011192096.tif 000005